(57)【要約】【課題】配光制御可能な閃光放電装置及びストロボ装置を提供すること。【解決手段】  ３極閃光放電管１Ａにおいては、アーク放電用のカソード電極１１ｃ、１１ｃ’、アノード電極１１ａをビードガラス１２に固定してガラスバルブ１３の両端部及び中央部の中に貫通させてガラスバルブ１３を溶着する。カソード電極１１ｃ、１１ｃ’の先端には電子放出し易くするための金属焼結体１４を予め固定しておく。ガラスバルブ１３のアーク放電部に当る部分には、放電起動用のトリガ電圧ＶＴが印加されるトリガ端子Ｔに接続された透明電極１５を設ける。スイッチング回路２Ａは、カソード電極１ｃとカソード端子Ｃとの間に接続されたスイッチＳＷ１及びカソード電極１ｃ’とカソード端子Ｃとの間に接続されたスイッチＳＷ２よりなる。スイッチング回路２ＡのスイッチＳＷ１、ＳＷ２のオン、オフ動作によって３極閃光放電管１Ａの配光制御を行う。【選択図】        図１
2017098093.tif 000002
【特許請求の範囲】
【請求項１】
カソード端子と、
アノード端子と、
トリガ端子と、
希ガスが充填されたバルブ、前記バルブに設けられ前記トリガ端子に接続された透明電極及び前記バルブ内に配置された３つ以上の電極を有する多極閃光放電管と、
前記３つ以上の電極から少なくとも１つを選択して前記カソード端子に接続すると共に前記３つ以上の電極から少なくとも１つを選択して前記アノード端子に接続するためのスイッチング回路と
を具備する閃光放電装置。
【請求項２】
前記バルブは気密封止したガラスバルブである請求項１に記載の閃光放電装置。
【請求項３】
前記バルブは耐熱性絶縁部材と透明部材とを接着して気密封止することによって構成した請求項１に記載の閃光放電装置。
【請求項４】
前記請求項１〜３のいずれかに記載の閃光放電装置と、
前記閃光放電装置のカソード端子、アノード端子及びトリガ端子に接続され、前記多極閃光放電管を発光させるための発光回路と、
前記発光回路に接続され、発光指令信号を受信して前記発光回路を活性化させるスイッチング素子と、
前記発光回路及び前記スイッチング素子に接続されたキャパシタと、
前記キャパシタを充電するための昇圧回路と、
前記閃光放電装置のスイッチング回路を制御するスイッチ制御信号、前記充電指令信号及び前記発光指令信号を送出する制御ユニットと
を具備するストロボ装置。      
【発明の詳細な説明】
【技術分野】
【０００１】
本発明は、閃光放電装置及びこれを用いたストロボ装置に関する。
【背景技術】
【０００２】
ディジタルカメラ、スマートフォン、携帯電話等においては、閃光放電装置たとえばキセノン管を用いたストロボ装置が内蔵されている。
【０００３】
図１０は従来の閃光放電装置を示す断面図である（参照：特許文献１〜４）。図１０において、閃光放電装置は、カソード端子Ｃ、アノード端子Ａ、放電開始用のトリガ電圧ＶＴが印加されるトリガ端子Ｔ及び２極閃光放電管１００を有する。２極閃光放電管１００においては、カソード端子Ｃ及びアノード端子Ａに接続されたアーク放電用のカソード電極１０１ｃ及びアノード電極１０１ａをビードガラス１０２に固定し、ガラスバルブ１０３の中に貫通させてガラスバルブ１０３の両端に溶着する。その際、ガラスバルブ１０３を０．８〜１．５気圧の希ガスたとえばキセノンガスで気密封入する。尚、カソード電極１０１ｃの先端には電子放出し易くするための金属焼結体１０４を予め固定しておく。また、ガラスバルブ１０３のアーク放電部に当る部分にはトリガ端子Ｔに接続された透明電極１０５を設ける。
【先行技術文献】
【特許文献】
【０００４】
【特許文献１】特開２０１３−１０４８９８号公報
【特許文献２】特開２０１２−２０４２３１号公報
【特許文献３】特開２００６−２４４８９７号公報
【特許文献４】特開２００５−１４２０７５号公報
【発明の概要】
【発明が解決しようとする課題】
【０００５】
しかしながら、図１０に示す従来の閃光放電装置においては、アーク放電はガラスバルブ１０３の両端に設けられたカソード電極１０１ｃとアノード電極１０１ａとの間で生ずるので、放電領域は一定であり、従って、閃光発光が起こる範囲を可変制御できない。この結果、図１０に示す従来の閃光放電装置を用いたストロボ装置において、配光制御を実現しようとする場合に、光学部品たとえばリフレクタ、レンズを設けなければならず、ストロボ装置が大型化するという課題がある。たとえば、図１１に示すごとく、２極閃光放電管１００の後方にリフレクタ２００を設け、２極閃光放電管１００の前方にレンズ３００を設ける。広角配光する場合には、図１１の（Ａ）に示すごとく、リフレクタ２００とレンズ３００との間の距離を小さく制御し、他方、望遠配光する場合には、図１１の（Ｂ）に示すごとく、リフレクタ２００とレンズ３００との間の距離を大きく制御する。
【課題を解決するための手段】
【０００６】
上述の課題を解決するために、本発明に係る閃光放電装置は、カソード端子と、アノード端子と、トリガ端子と、希ガスが充填されたバルブ、バルブに設けられトリガ端子に接続された透明電極及びバルブ内に配置された３つ以上の電極を有する多極閃光放電管と、３つ以上の電極から少なくとも１つを選択してカソード端子に接続すると共に３つ以上の電極から少なくとも１つを選択してアノード端子に接続するためのスイッチング回路とを具備するものである。
【０００７】
また、本発明に係るストロボ装置は、上述の閃光放電装置と、閃光放電装置のカソード端子、アノード端子及びトリガ端子に接続され、多極閃光放電管を発光させるための発光回路と、発光回路に接続され、発光指令信号を受信して発光回路を活性化させるスイッチング素子と、発光回路及びスイッチング素子に接続されたキャパシタと、キャパシタを充電するための昇圧回路と、閃光放電装置のスイッチング回路を制御するスイッチ制御信号、充電指令信号及び発光指令信号を送出する制御ユニットとを具備するものである。
【発明の効果】
【０００８】
本発明によれば、閃光放電装置の閃光発光が起こる範囲をスイッチング回路によって可変制御でき、従って、ストロボ装置を小型化できる。
【図面の簡単な説明】
【０００９】
【図１】本発明に係る閃光放電装置の第１の実施の形態を示す断面図である。
【図２】図１の３極閃光放電管の配光制御を説明する表である。
【図３】図１の閃光放電装置の変更例を示す断面図である。
【図４】図３の３極閃光放電管の配光制御を説明する表である。
【図５】本発明に係る閃光放電装置の第２の実施の形態を示す断面図である。
【図６】図５の５極閃光放電管の配光制御を説明する表である。
【図７】図５の５極閃光放電管の配光制御を説明する表である。
【図８】本発明に係る閃光放電装置の第３の実施の形態を示す断面図である。
【図９】図１、図３、図５、図８の閃光放電装置を含むストロボ装置を示す回路図である。
【図１０】従来の閃光放電装置を示す断面図である。
【図１１】図１０の閃光放電装置の課題を説明する図である。
【発明を実施するための形態】
【００１０】
図１は本発明に係る閃光放電装置の第１の実施の形態を示す断面図である。図１においては、閃光放電装置は、カソード端子Ｃ、アノード端子Ａ、トリガ端子Ｔ、３極閃光放電管１Ａ及びスイッチング回路２Ａよりなる。
【００１１】
３極閃光放電管１Ａにおいては、アーク放電用のカソード電極１１ｃ、１１ｃ’、アノード電極１１ａをビードガラス１２に固定してガラスバルブ１３の両端部及び中央部の中に貫通させてガラスバルブ１３を溶着する。その際に、ガラスバルブ１３を０．８〜１．５気圧のキセノンガスで気密封入する。この場合、カソード電極１１ｃ、１１ｃ’の先端には電子放出し易くするための金属焼結体１４を予め固定しておく。カソード電極１１ｃ、１１ｃ’、アノード電極１１ａはタングステン、モリブデン等より、これらの間隔は５〜３０ｍｍとされ、電位差１８０〜３５０Ｖが印加される。また、ガラスバルブ１３のアーク放電部に当る部分には、放電起動用のトリガ電圧ＶＴ＝２．５〜８．０ｋＶが印加されるトリガ端子Ｔに接続された透明電極１５を設ける。
【００１２】
スイッチング回路２Ａは、カソード電極１ｃとカソード端子Ｃとの間に接続されたスイッチＳＷ１及びカソード電極１ｃ’とカソード端子Ｃとの間に接続されたスイッチＳＷ２よりなる。スイッチング回路２ＡのスイッチＳＷ１、ＳＷ２のオン、オフ動作によって３極閃光放電管１Ａの配光制御を行う。
【００１３】
図２は図１の３極閃光放電管１Ａの配光制御を説明する表である。すなわち、スイッチＳＷ１、ＳＷ２が共にオンとなると、３極閃光放電管１Ａは全面配光状態となる。また、スイッチＳＷ１がオン、ＳＷ２がオフとなると、左側半分の左配光制御となる。さらに、スイッチＳＷ１がオフ、ＳＷ２がオンとなると、右側半分の右配光制御となる。さらに、スイッチＳＷ１、ＳＷ２が共にオフとなると、３極閃光放電管１Ａはオフ状態となる。
【００１４】
図３は図１の閃光放電装置の変更例を示す。図３においては、図１の３極閃光放電管１Ａ及びスイッチング回路２Ａの代りに、３極閃光放電管１Ｂ及びスイッチング回路２Ｂを設ける。
【００１５】
３極閃光放電管１Ｂにおいては、図１の３極閃光放電管１Ａのカソード電極１１ｃ、１１ｃ’及びアノード電極１１ａを兼用の電極１１−１、１１−２、１１−３に置換する。この場合、すべての電極１１−１、１１−２、１１−３に金属焼結体１４を設ける。尚、電極がアノード電極として作用する場合にも、金属焼結体１４は何ら障害とならない。
【００１６】
スイッチング回路２Ｂにおいては、電極１１−１とカソード端子Ｃとの間にスイッチＳＷ１を設ける。また、電極１１−２とカソード端子Ｃとの間にスイッチＳＷ２−１を設け、電極１１−２とアノード端子Ａとの間にスイッチＳＷ２−２を設ける。尚、スイッチＳＷ２−１、ＳＷ２−２は短絡防止のために、同時にオンとされない。さらに、電極１１−３とアノード端子Ａとの間にスイッチＳＷ３を設ける。スイッチング回路２ＢのスイッチＳＷ１、ＳＷ２−１、ＳＷ２−２、ＳＷ３のオン、オフ動作によって３極閃光放電管２Ａの配光制御を行う。
【００１７】
図４は図３の３極閃光放電管２Ａの配光制御を説明する表である。すなわち、スイッチＳＷ１、ＳＷ３が共にオン、スイッチＳＷ２−１、ＳＷ２−２がオフとなると、３極閃光放電管１Ｂは全面配光状態となる。また、スイッチＳＷ１、ＳＷ２−２がオン、ＳＷ２−１、ＳＷ３がオフとなると、左側半分の左配光制御となる。さらに、スイッチＳＷ２−１、ＳＷ３がオン、ＳＷ１、ＳＷ２−２がオフとなると、右側半分の右配光制御となる。さらに、スイッチＳＷ１、ＳＷ２−１、ＳＷ２−２、ＳＷ３がすべてオフとなると、３極閃光放電管１Ｂはオフ状態となる。
【００１８】
図５は本発明に係る閃光放電装置の第２の実施の形態を示す断面図である。図５においては、閃光放電装置は、カソード端子Ｃ、アノード端子Ａ、トリガ端子Ｔ、５極閃光放電管１Ｃ及びスイッチング回路２Ｃよりなる。
【００１９】
５極閃光放電管１Ｃにおいては、図３の３つの電極１１−１〜１１−３を５つの電極１１−１〜１１−５に置換する。この場合も、すべての電極１１−１〜１１−５に金属焼結体１４を設ける。
【００２０】
スイッチング回路２Ｃにおいては、図３のスイッチング回路２Ｂと同様に、電極１１−１とカソード端子Ｃとの間にスイッチＳＷ１を設ける。また、電極１１−２とカソード端子Ｃとの間にスイッチＳＷ２−１を設け、電極１１−２とアノード端子Ａとの間にスイッチＳＷ２−２を設ける。尚、スイッチＳＷ２−１、ＳＷ２−２は、短絡防止のために、同時にオンとされない。電極１１−３とカソード端子Ｃとの間にスイッチＳＷ３−１を設け、電極１１−３とアノード端子Ａとの間にスイッチＳＷ３−２を設ける。尚、スイッチＳＷ３−１、ＳＷ３−２は、短絡防止のために、同時にオンとされない。電極１４−２とカソード端子Ｃとの間にスイッチＳＷ４−１を設け、電極１１−４とアノード端子Ａとの間にスイッチＳＷ４−２を設ける。尚、スイッチＳＷ４−１、ＳＷ４−２は、短絡防止のために、同時にオンとされない。さらに、電極１１−５とアノード端子Ａとの間にスイッチＳＷ５を設ける。スイッチング回路３ＢのスイッチＳＷ１、ＳＷ２−１、ＳＷ２−２、ＳＷ３−１、ＳＷ３−２、ＳＷ４−１、ＳＷ４−２、ＳＷ５のオン、オフ動作によって５極閃光放電管１Ｃの配光制御を行う。
【００２１】
図６、図７は図５の５極閃光放電管１Ｃの配光制御を説明する表である。図６、図７においては、５極閃光放電管１Ｃの配光状態を４つの配光状態すなわち、左端配光状態、左中央配光状態、右中央配光状態及び右端配光状態と分割する。
【００２２】
スイッチＳＷ１、ＳＷ２−２がオンとなり、他のスイッチがオフとなると、左端配光状態となる（図６のＩ）。
【００２３】
スイッチＳＷ１、ＳＷ３−２がオンとなり、他のスイッチがオフとなると、左端配光状態及び左中央配光状態となる（図６のII）。
【００２４】
スイッチＳＷ１、ＳＷ４−２がオンとなると、左端配光状態、右中央配光状態及び右端配光状態となる（図６のIII）。
【００２５】
スイッチＳＷ１、ＳＷ５がオンとなり、他のスイッチがオフとなると、全面配光状態となる（図６のIV）。
【００２６】
スイッチＳＷ２−１、ＳＷ３−２がオンとなり、他のスイッチがオフとなると、左中央配光状態となる（図７のＩ）。
【００２７】
スイッチＳＷ２−１、ＳＷ４−２がオンとなると、左中央配光状態及び右中央配光状態となる（図７のII）。
【００２８】
スイッチＳＷ２−１、ＳＷ５がオンとなり、他のスイッチがオフとなると、左中央配光状態、右中央配光状態及び右端配光状態となる（図７のIII）。
【００２９】
スイッチＳＷ３−１、ＳＷ４−２がオンとなり、他のスイッチがオフとなると、右中央配光状態となる（図７のIV）。
【００３０】
スイッチＳＷ３−１、ＳＷ５がオンとなり、他のスイッチがオフとなると、右中央配光状態及び右端配光状態となる（図７のV）。
【００３１】
図８は本発明に係る閃光放電装置の第３の実施の形態を示す断面図である。図８においては、図５の５極閃光放電管１Ｃの代りに、５極閃光放電管１Ｄを設けてあるが、スイッチング回路は図５のスイッチング回路２Ｃを用い、従って、図８の閃光放電装置の配光制御動作は図６、図７の表に基づいて行われる。
【００３２】
５極閃光放電管１Ｄにおいて、低温同時焼成セラミック（ＬＴＣＣ）基板３１は４層の基板３１−１、３１−２、３１−３、３１−４の積層よりなり、基板３１−３、３１−４によって凹部３１ａが形成される。
【００３３】
基板３１−４上の左側に電極１−１を設け、基板３１−２上に電極１１−２、１１−３、１１−４を設け、基板３１−４上の右側に電極１−５を設ける。電極１１−１、１１−５は基板３１−１、３１−２、３１−３内のビア１１”−１、１１”−５を介して基板３１−１下の外部電極１１’−１、１１’−５に電気的に接続され、電極３１−２、３１−３、３１−４は基板３１−１、３１−２内のビア１１”−２、１１”−３、１１”−４を介して外部電極１１’−２、１１’−３、１１’−４に電気的に接続される。外部電極１１’−１、１１’−２、１１’−３、１１’−４、１１’−５はスイッチング回路２Ｃの各スイッチに接続される。
【００３４】
ＬＴＣＣ基板３１の凹部３１ａを覆うようにＬＴＣＣ基板３１の上部つまり基板３１−４上に石英ガラス等よりなる光透過部材３２を設ける。その際、基板１−４と光透過部材３２との間は樹脂層３３たとえばアクリル系樹脂によって接着して０．８〜１．５気圧のキセノンガスで気密封止する。
【００３５】
光透過部材３２上には、トリガ電圧ＶＴが印加されるトリガ端子Ｔが接続される透明電極３４が設けられる。尚、透明電極３４はＬＴＣＣ基板３１内に設けることもできる。
【００３６】
このように、図８の５極閃光放電管１Ｄにおいては、図１、図３、図５のガラスバルブ１３の代りに、ＬＴＣＣ基板３１及び光透過部材３２によって形成されたバルブを設ける。
【００３７】
尚、図８の５極閃光放電管１Ｄの基板材料としてＬＴＣＣ基板を用いているが、高温同時焼成セラミック（ＨＴＣＣ）基板、ＡｌＮ等の耐熱性絶縁部材を用いることもできる。また、図８の電極１１−１、１１−２、１１−３、１１−４、１１−５には金属焼結体を設けてもよい。
【００３８】
図９は図１、図３、図５、図８の閃光放電装置（Ｕとする）を含むストロボ装置を示す回路図である。
【００３９】
図９においては、制御ユニット９１たとえばスマートフォン本体は、スイッチ制御信号Ｓ１を発信して閃光放電装置ＵのスイッチＳＷ１、ＳＷ２、ＳＷ２−１、ＳＷ２−２、…等を設定した後に、充電指令信号Ｓ２を発信すると共に、発光指令信号Ｓ３を発信する。
【００４０】
充電指令信号Ｓ２は発光指令信号Ｓ３の発信直前に発信されて昇圧回路９２を動作させ、ダイオード９３を介して大容量の電解コンデンサ（あるいは電気二重層コンデンサ）９４を所定の発光電圧以上の高電圧ＶＰＰ（たとえば３００Ｖ）で充電する。尚、電解コンデンサ９４は高電圧ＶＰＰが供給される高電源線ＬＰＰと接地線ＬＧＮＤとの間に接続されている。
【００４１】
発光指令信号Ｓ３はスイッチング素子たとえば絶縁ゲートバイポーラトランジスタ（ＩＧＢＴ）９５のゲートに供給される。ＩＧＢＴ９５は閃光放電装置Ｕを発光させるための発光回路９６を活性化させるためのものである。
【００４２】
閃光放電装置Ｕを発光させるための発光回路９６及び発光回路９６を活性化させるＩＧＢＴ９５は高電源線ＬＰＰと接地線ＬＧＮＤとの間に接続される。
【００４３】
発光回路９６は、発光指令信号Ｓ３がオンのときに動作する共振用コイル９６１及び共振用コンデンサ９６２、及び発光指令信号Ｓ２がオンのときにトリガ電圧ＶＴを発生するトリガコンデンサ９６３ａ及び１次コイル９６３ｂ及び２次コイル９６３ｃを有する。また、発光回路９６は、発光指令信号Ｓ３がオフのときに共振用コイル９６１に蓄積された励磁エネルギーをリセットするダイオード９６４及び共振用コンデンサ９６２に蓄積された静電エネルギーをリセットするダイオード９６５を有する。さらに、発光回路９６は、発光指令信号Ｓ３がオフのときにトリガコンデンサ９６３ａの電位をプルアップさせる抵抗９６６及び共振用コンデンサ９６２の電位をプルダウンさせる抵抗９６７を有する。
【００４４】
発光指令信号Ｓ３によってＩＧＢＴ９５がオンとされると、トリガコンデンサ９６３ａ及び１次コイル９６３ｂの直列ＬＣ共振回路が動作する。従って、その共振による誘導電流が２次コイル９６３ｃに流れることによって高電圧たとえば２５００Ｖ〜８０００Ｖのトリガ電圧ＶＴが閃光放電装置Ｕのトリガ電極Ｔに発生し、この結果、閃光放電管内に封入されたキセノンガスがイオン化されて絶縁が破壊される。また、この状態で、共振用コイル９６１及び共振用コンデンサ９６２の直列ＬＣ共振回路が動作して閃光放電管のアノード端子Ａ、カソード端子Ｃ間に放電電流が流れる。この結果、閃光放電管は発光することになる。このとき、放電電流は急激に増加し、急激に減少し、従って、光量も急激に増加し、急激に減少する。このようにして、閃光放電装置Ｕは閃光を発生する。
【００４５】
尚、上述の実施の形態では、３極閃光放電管、５極閃光放電管を示しているが、本発明においては４極閃光放電管、６極閃光放電管等を用いることもできる。
【００４６】
また、本発明は上述の実施の形態の目的の範囲内のいかなる変更にも適用し得る。
【符号の説明】
【００４７】
１Ａ、１Ｂ：３極閃光放電管 
１Ｃ、１Ｄ：５極閃光放電管 
１１ｃ、１１ｃ’：カソード端子
１１ａ：アノード端子
１１−１、１１−２、１１−３、１１−４、１１−５：電極
１２：ビードガラス
１３：ガラスバルブ
１４：金属焼結体
１５：透明電極
２Ａ、２Ｂ、２Ｃ：スイッチング回路
ＳＷ１、ＳＷ２、ＳＷ２−１、ＳＷ２−２、ＳＷ３、ＳＷ３−１、ＳＷ３−２、ＳＷ４−１、ＳＷ４−２、ＳＷ５：スイッチ
３１：ＬＴＣＣ基板
３１−１、３１−２、３１−３、３１−４：基板
１１’−１、１１’−２、１１’−３、１１’−４、１１’−５：外部電極パッド
１１”−１、１１”−２、１１”−３、１１”−４、１１”−５：ビア
３２：光透過部材
３３：樹脂層
３４：透明電極
９１：制御ユニット
９２：昇圧回路
９３：ダイオード
９４：電解コンデンサ
９５：ＩＧＢＴ
９６：発光回路
９６１：共振用コイル
９６２、：共振用コンデンサ 
９６３ａ：トリガコンデンサ
９６３ｂ：１次コイル
９６３ｃ：２次コイル
９６４：ダイオード
９６５：ダイオード
９６６：抵抗
９６７：抵抗
Ｓ１：スイッチ制御信号
Ｓ２：充電指令信号
Ｓ３：発光指令信号
１００：２極閃光放電管
１０１ｃ：カソード電極
１０１ａ：アノード電極
１０２：ビードガラス
１０３：ガラスバルブ
１０４：金属焼結体
１０５：透明電極
Ｃ：カソード端子
Ａ：アノード端子
【図１】
2017098093.tif 000003
【図２】
2017098093.tif 000004
【図３】
2017098093.tif 000005
【図４】
2017098093.tif 000006
【図５】
2017098093.tif 000007
【図６】
2017098093.tif 000008
【図７】
2017098093.tif 000009
【図８】
2017098093.tif 000010
【図９】
2017098093.tif 000011
【図１０】
2017098093.tif 000012
【図１１】
2017098093.tif 000013
【手続補正書】
【提出日】平成28年9月27日(2016.9.27)
【手続補正１】
【補正対象書類名】特許請求の範囲
【補正対象項目名】全文
【補正方法】変更
【補正の内容】
【特許請求の範囲】
【請求項１】
カソード端子と、
アノード端子と、
トリガ端子と、
希ガスが充填されたバルブ、前記バルブに設けられ前記トリガ端子に接続された透明電極及び前記バルブ内に配置された３つ以上の電極を有する多極閃光放電管と、
前記３つ以上の電極から少なくとも１つを選択して前記カソード端子に接続すると共に前記３つ以上の電極から少なくとも他の１つを選択して前記アノード端子に接続するためのスイッチング回路と
を具備する閃光放電装置。
【請求項２】
カソード端子と、
アノード端子と、
トリガ端子と、
希ガスが充填されたバルブ、前記バルブに設けられ前記トリガ端子に接続された透明電極及び前記バルブ内に配置された３つ以上の電極を有する多極閃光放電管と、
前記３つ以上の電極から少なくとも１つを選択して前記カソード端子又は前記アノード端子に接続するためのスイッチング回路と
を具備し、
前記３つ以上の電極のうち少なくとも他の１つは前記アノード端子又は前記カソード端子に固定接続されている閃光放電装置。
【請求項３】
前記バルブは気密封止したガラスバルブである請求項１又は２に記載の閃光放電装置。
【請求項４】
前記バルブは耐熱性絶縁部材と透明部材とを接着して気密封止することによって構成した請求項１又は２に記載の閃光放電装置。
【請求項５】
前記請求項１〜４のいずれかに記載の閃光放電装置と、
前記閃光放電装置のカソード端子、アノード端子及びトリガ端子に接続され、前記多極閃光放電管を発光させるための発光回路と、
前記発光回路に接続され、発光指令信号を受信して前記発光回路を活性化させるためのスイッチング素子と、
前記発光回路及び前記スイッチング素子に接続されたキャパシタと、
前記キャパシタを充電するための昇圧回路と、
前記閃光放電装置のスイッチング回路を制御するスイッチ制御信号、前記充電指令信号及び前記発光指令信号を送出するための制御ユニットと
を具備するストロボ装置。      
【手続補正２】
【補正対象書類名】明細書
【補正対象項目名】０００６
【補正方法】変更
【補正の内容】
【０００６】
上述の課題を解決するために、本発明に係る閃光放電装置は、カソード端子と、アノード端子と、トリガ端子と、希ガスが充填されたバルブ、バルブに設けられトリガ端子に接続された透明電極及びバルブ内に配置された３つ以上の電極を有する多極閃光放電管と、３つ以上の電極から少なくとも１つを選択してカソード端子に接続すると共に３つ以上の電極から少なくとも他の１つを選択してアノード端子に接続するためのスイッチング回路とを具備するものである。
【手続補正３】
【補正対象書類名】明細書
【補正対象項目名】０００７
【補正方法】変更
【補正の内容】
【０００７】
また、本発明に係るストロボ装置は、上述の閃光放電装置と、閃光放電装置のカソード端子、アノード端子及びトリガ端子に接続され、多極閃光放電管を発光させるための発光回路と、発光回路に接続され、発光指令信号を受信して発光回路を活性化させるためのスイッチング素子と、発光回路及びスイッチング素子に接続されたキャパシタと、キャパシタを充電するための昇圧回路と、閃光放電装置のスイッチング回路を制御するスイッチ制御信号、充電指令信号及び発光指令信号を送出するための制御ユニットとを具備するものである。
【手続補正４】
【補正対象書類名】明細書
【補正対象項目名】００３３
【補正方法】変更
【補正の内容】
【００３３】
基板３１−３上の左側に電極１１−１を設け、基板３１−２上に電極１１−２、１１−３、１１−４を設け、基板３１−３上の右側に電極１１−５を設ける。電極１１−１、１１−５は基板３１−１、３１−２、３１−３内のビア１１”−１、１１”−５を介して基板３１−１下の外部電極１１’−１、１１’−５に電気的に接続され、電極１１−２、１１−３、１１−４は基板３１−１、３１−２内のビア１１”−２、１１”−３、１１”−４を介して外部電極１１’−２、１１’−３、１１’−４に電気的に接続される。外部電極１１’−１、１１’−２、１１’−３、１１’−４、１１’−５はスイッチング回路２Ｃの各スイッチに接続される。
【手続補正５】
【補正対象書類名】明細書
【補正対象項目名】００４３
【補正方法】変更
【補正の内容】
【００４３】
発光回路９６は、発光指令信号Ｓ３がオンのときに動作する共振用コイル９６１及び共振用コンデンサ９６２、及び発光指令信号Ｓ３がオンのときにトリガ電圧ＶＴを発生するトリガコンデンサ９６３ａ及び１次コイル９６３ｂ及び２次コイル９６３ｃを有する。また、発光回路９６は、発光指令信号Ｓ３がオフのときに共振用コイル９６１に蓄積された励磁エネルギーをリセットするダイオード９６４及び共振用コンデンサ９６２に蓄積された静電エネルギーをリセットするダイオード９６５を有する。さらに、発光回路９６は、発光指令信号Ｓ３がオフのときにトリガコンデンサ９６３ａの電位をプルアップさせる抵抗９６６及び共振用コンデンサ９６２の電位をプルダウンさせる抵抗９６７を有する。
【手続補正６】
【補正対象書類名】明細書
【補正対象項目名】００４６
【補正方法】変更
【補正の内容】
【００４６】
また、本発明は上述の実施の形態の自明の範囲内のいかなる変更にも適用し得る。
【手続補正７】
【補正対象書類名】図面
【補正対象項目名】図８
【補正方法】変更
【補正の内容】
【図８】
2017098093.tif 000014
【手続補正８】
【補正対象書類名】図面
【補正対象項目名】図９
【補正方法】変更
【補正の内容】
【図９】
2017098093.tif 000015
【手続補正書】
【提出日】平成28年10月17日(2016.10.17)
【手続補正１】
【補正対象書類名】明細書
【補正対象項目名】００１２
【補正方法】変更
【補正の内容】
【００１２】
スイッチング回路２Ａは、カソード電極１１ｃとカソード端子Ｃとの間に接続されたスイッチＳＷ１及びカソード電極１１ｃ’とカソード端子Ｃとの間に接続されたスイッチＳＷ２よりなる。スイッチング回路２ＡのスイッチＳＷ１、ＳＷ２のオン、オフ動作によって３極閃光放電管１Ａの配光制御を行う。
【手続補正２】
【補正対象書類名】明細書
【補正対象項目名】００３５
【補正方法】変更
【補正の内容】
【００３５】
光透過部材３２上には、トリガ電圧ＶＴが印加されるトリガ端子Ｔが接続される透明電極３４が設けられる。
【手続補正３】
【補正対象書類名】図面
【補正対象項目名】図１
【補正方法】変更
【補正の内容】
【図１】
2017098093.tif 000016
【手続補正４】
【補正対象書類名】図面
【補正対象項目名】図３
【補正方法】変更
【補正の内容】
【図３】
2017098093.tif 000017
【手続補正５】
【補正対象書類名】図面
【補正対象項目名】図５
【補正方法】変更
【補正の内容】
【図５】
2017098093.tif 000018
【手続補正６】
【補正対象書類名】図面
【補正対象項目名】図１０
【補正方法】変更
【補正の内容】
【図１０】
2017098093.tif 000019